【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
無線アクセスネットワーク装置との間で共有データチャネルとシグナリング制御チャネルとを設定し、双方向通信を行う移動局であって、
一定時間自移動局宛のトラヒックデータがない場合に、シグナリング制御チャネルの間欠受信を行う間欠受信部と、
前記間欠受信を行っているときに、自移動局宛のトラヒックデータの有無を判定するデータ有無判定部と、
自移動局宛のトラヒックデータが有ると判定された場合に、対応する共有データチャネルの受信を行う共有データチャネル受信部と
を備えることを特徴とする移動局。
【請求項２】
請求項１に記載の移動局において、
間欠受信を行う場合に、上りシグナリング制御チャネルにより、間欠受信を要求する間欠受信要求部
を備えることを特徴とする移動局。
【請求項３】
移動局との間で共有データチャネルとシグナリング制御チャネルとを設定し、双方向通信を行う無線アクセスネットワーク装置であって、
間欠受信状態とするか否かを判断する間欠受信管理部と、
シグナリング制御チャネルの一部である間欠受信チャネルを決定する間欠受信チャネル決定部と、
決定された間欠受信チャネルを通知する間欠受信チャネル通知部と、
送信データが発生した場合に、決定された間欠受信チャネルで制御信号を送信し、対応する共有データチャネルでトラヒックデータを送信するスケジューリング部と
を備えることを特徴とする無線アクセスネットワーク装置。
【請求項４】
請求項３に記載の無線アクセスネットワーク装置において、
前記間欠受信チャネル通知部は、間欠受信を実施するタイミング、間欠受信周期および間欠受信を行う場合に受信すべきチャネルのうち少なくとも１つの情報を通知することを特徴とする無線アクセスネットワーク装置。
【請求項５】
移動局と無線アクセスネットワーク装置との間で共有データチャネルとシグナリング制御チャネルとを設定し、双方向通信を行う移動通信システムであって、
前記移動局は、
一定時間自移動局宛のトラヒックデータがない場合に、シグナリング制御チャネルの間欠受信を行う間欠受信部と
前記間欠受信を行っているときに、自移動局宛のトラヒックデータの有無を判定するデータ有無判定部と、
自移動局宛のトラヒックデータが有ると判定された場合に、対応する共有データチャネルの受信を行う共有データチャネル受信部と
を備え、
前記無線アクセスネットワーク装置は、
間欠受信状態とするか否かを判断する間欠受信管理部と、
シグナリング制御チャネルの一部である間欠受信チャネルを決定する間欠受信チャネル決定部と、
決定された間欠受信チャネルを通知する間欠受信チャネル通知部と、
送信データが発生した場合に、決定された間欠受信チャネルで制御信号を送信し、対応する共有データチャネルでトラヒックデータを送信するスケジューリング部と
を備えることを特徴とする移動通信システム。
【請求項６】
無線アクセスネットワーク装置との間で共有データチャネルとシグナリング制御チャネルとを設定し、双方向通信を行う移動局における間欠受信方法であって、
一定時間自移動局宛のトラヒックデータがない場合に、シグナリング制御チャネルの間欠受信を行う間欠受信ステップと、
前記間欠受信を行っているときに、自移動局宛のトラヒックデータの有無を判定するデータ有無判定ステップと、
自移動局宛のトラヒックデータが有ると判定された場合に、対応する共有データチャネルの受信を行う共有データチャネル受信ステップと
を有することを特徴とする間欠受信方法。
【請求項７】
間欠受信を行う場合に、上りシグナリング制御チャネルにより、間欠受信を要求する間欠受信要求ステップ
を有することを特徴とする間欠受信方法。
【請求項８】
移動局との間で共有データチャネルとシグナリング制御チャネルとを設定し、双方向通信を行う無線アクセスネットワーク装置における間欠受信方法であって、
間欠受信状態とするか否かを判断する間欠受信管理ステップと、
シグナリング制御チャネルの一部である間欠受信チャネルを決定する間欠受信チャネル決定ステップと、
決定された間欠受信チャネルを通知する間欠受信チャネル通知ステップと、
送信データが発生した場合に、決定された間欠受信チャネルで制御信号を送信し、対応する共有データチャネルでトラヒックデータを送信するスケジューリングステップと
を有することを特徴とする間欠受信方法。
【請求項９】
請求項８に記載の間欠受信方法において、
前記間欠受信チャネル通知ステップは、間欠受信を実施するタイミング、間欠受信周期および間欠受信を行う場合に受信すべきチャネルのうち少なくとも１つの情報を通知することを特徴とする間欠受信方法。
【手続補正２】
【補正対象書類名】明細書
【補正対象項目名】００１３
【補正方法】変更
【補正の内容】
【００１３】
本移動局は、
無線アクセスネットワーク装置との間で共有データチャネルとシグナリング制御チャネルとを設定し、双方向通信を行う移動局であって、
一定時間自移動局宛のトラヒックデータがない場合に、シグナリング制御チャネルの間欠受信を行う間欠受信部と、
前記間欠受信を行っているときに、自移動局宛のトラヒックデータの有無を判定するデータ有無判定部と、
自移動局宛のトラヒックデータが有ると判定された場合に、対応する共有データチャネルの受信を行う共有データチャネル受信部と
を備える。
【手続補正３】
【補正対象書類名】明細書
【補正対象項目名】００１５
【補正方法】変更
【補正の内容】
【００１５】
本無線アクセスネットワーク装置は、
移動局との間で共有データチャネルとシグナリング制御チャネルとを設定し、双方向通信を行う無線アクセスネットワーク装置であって、
間欠受信状態とするか否かを判断する間欠受信管理部と、
シグナリング制御チャネルの一部である間欠受信チャネルを決定する間欠受信チャネル決定部と、
決定された間欠受信チャネルを通知する間欠受信チャネル通知部と、
送信データが発生した場合に、決定された間欠受信チャネルで制御信号を送信し、対応する共有データチャネルでトラヒックデータを送信するスケジューリング部と
を備える。
【手続補正４】
【補正対象書類名】明細書
【補正対象項目名】００１７
【補正方法】変更
【補正の内容】
【００１７】
本移動通信システムは、
移動局と無線アクセスネットワーク装置との間で共有データチャネルとシグナリング制御チャネルとを設定し、双方向通信を行う移動通信システムであって、
前記移動局は、
一定時間自移動局宛のトラヒックデータがない場合に、シグナリング制御チャネルの間欠受信を行う間欠受信部と
前記間欠受信を行っているときに、自移動局宛のトラヒックデータの有無を判定するデータ有無判定部と、
自移動局宛のトラヒックデータが有ると判定された場合に、対応する共有データチャネルの受信を行う共有データチャネル受信部と
を備え、
前記無線アクセスネットワーク装置は、
間欠受信状態とするか否かを判断する間欠受信管理部と、
シグナリング制御チャネルの一部である間欠受信チャネルを決定する間欠受信チャネル決定部と、
決定された間欠受信チャネルを通知する間欠受信チャネル通知部と、
送信データが発生した場合に、決定された間欠受信チャネルで制御信号を送信し、対応する共有データチャネルでトラヒックデータを送信するスケジューリング部と
を備える。
【手続補正５】
【補正対象書類名】明細書
【補正対象項目名】００１９
【補正方法】変更
【補正の内容】
【００１９】
本間欠受信方法は、
無線アクセスネットワーク装置との間で共有データチャネルとシグナリング制御チャネルとを設定し、双方向通信を行う移動局における間欠受信方法であって、
一定時間自移動局宛のトラヒックデータがない場合に、シグナリング制御チャネルの間欠受信を行う間欠受信ステップと、
前記間欠受信を行っているときに、自移動局宛のトラヒックデータの有無を判定するデータ有無判定ステップと、
自移動局宛のトラヒックデータが有ると判定された場合に、対応する共有データチャネルの受信を開始する共有データチャネル受信開始ステップと
を有する。
本間欠受信方法は、
移動局との間で共有データチャネルとシグナリング制御チャネルとを設定し、双方向通信を行う無線アクセスネットワーク装置における間欠受信方法であって、
間欠受信状態とするか否かを判断する間欠受信管理ステップと、
シグナリング制御チャネルの一部である間欠受信チャネルを決定する間欠受信チャネル決定ステップと、
決定された間欠受信チャネルを通知する間欠受信チャネル通知ステップと、
送信データが発生した場合に、決定された間欠受信チャネルで制御信号を送信し、対応する共有データチャネルでトラヒックデータを送信するスケジューリングステップと
を有する。